(57)【要約】【課題】開缶用タブの指掛かり性を向上でき、かつ必要な強度を維持できる開缶性に優れた開缶用タブ及び缶蓋並びに缶を提供する。【解決手段】開缶用タブ１は、外形形状を形成するタブ本体１１の中央付近に設けられ缶蓋本体２のリベット２５に固着される固着部１２と、タブ本体１１の先端部に設けられて缶蓋本体２の開口片２７を押し下げて開口させるための押下部１６と、押下部１６に対してタブ本体１１の固着部１２を挟んだ反対側に設けられて押下部１６を押し下げるために缶蓋本体２から引上げられる引上部１７と、引上部１７と固着部１２との間に設けられて下面側に向けて凸となるように凹状に形成されたタブパネル１４とを備え、引上部１７は、少なくともタブ本体１１の後縁部１１ｂから後縁部１１ｂと側縁部１１ｄとの間の角部１１ｃにかけて設けられるとともに、タブ本体１１の前縁部１１ａよりも厚みが薄く設けられている。【選択図】      図１
2017124857.tif 000002
【特許請求の範囲】
【請求項１】
外形形状を形成するタブ本体の中央付近に設けられ缶蓋本体のリベットに固着される固着部と、
前記タブ本体の先端部に設けられて前記缶蓋本体の開口片を押し下げて開口させるための押下部と、
該押下部に対して前記タブ本体の前記固着部を挟んだ反対側に設けられて前記押下部を押し下げるために前記缶蓋本体から引上げられる引上部と、
前記引上部と前記固着部との間に設けられて下面側に向けて凸となるように凹状に形成されたタブパネルとを備え、
前記引上部は、少なくとも前記タブ本体の後縁部から該後縁部と側縁部との間の角部にかけて設けられるとともに、前記タブ本体の前縁部よりも厚みが薄く設けられていることを特徴とする開缶用タブ。
【請求項２】
前記引上部は、前記タブパネルを囲む前記タブ本体の後縁部から側縁部にかけて設けられていることを特徴とする請求項１に記載の開缶用タブ。
【請求項３】
前記引上部は、下面側を上方に凹ませた形状により形成されていることを特徴とする請求項１又は２に記載の開缶用タブ。
【請求項４】
前記引上部に、連結片が切り離された後の切断面が設けられていることを特徴とする請求項１から３のいずれか一項に記載の開缶用タブ。
【請求項５】
缶蓋本体と請求項１から４のいずれか一項に記載の前記開缶用タブとを備えることを特徴とする缶蓋。
【請求項６】
缶胴本体に請求項５に記載の前記缶蓋が巻締められていることを特徴とする缶。
【発明の詳細な説明】
【技術分野】
【０００１】
本発明は、缶蓋本体に固着され、缶蓋本体上に取り付けられたままの状態で缶蓋本体の一部を押し下げて飲み口を開口するステイオンタブ型の開缶用タブ及び缶蓋並びに缶に関する。
【背景技術】
【０００２】
飲料用の缶蓋として、特許文献１に開示されるように、開缶用タブを缶蓋本体に取り付けたままの状態で飲み口が開口可能なステイオンタブ型のものが知られている。この缶蓋は、開缶用タブがリベットによって取り付けられており、この開缶用タブの後端部側の引上部（タブテール部）を引き上げることにより、リベット近傍が折れ曲がって支点となり、押下部（タブの先端）が作用点となって、パネル表面のスコアに囲まれた開口片を押圧、没入させてスコアを破断させ、飲み口を開口させることができる。この際、パネルは、スコア形状に沿って破断されるが、開口片はパネルから離れることなく内部に押し入れられる。
【０００３】
また、この種の缶蓋には、開缶用タブの引上部を引き上げる際に、引上部に指を引っ掛けて容易に引き上げ易くするため、引上部の中央部分を開缶用タブの上面側に向かって凸となる凹状に凹ませて薄く形成することや、引上部の下部に指を挿入し易くするために、缶蓋本体に指掛け凹部を設けることが行われている。
【先行技術文献】
【特許文献】
【０００４】
【特許文献１】２００２‐３４６６７３号公報
【特許文献２】２０１１‐１１６４５０号公報
【発明の概要】
【発明が解決しようとする課題】
【０００５】
ところが、開缶用タブの引上部を引き上げて開缶する際に指を掛ける位置は人によって異なり、実際には、引上部の中央部以外に、中央部の両側に配置される角部にも指が掛けられる。そこで、開缶用タブの後端部全体を薄く形成して、角部に指が掛けられた際にも開缶栓を損ねないようにすることが考えられる。しかし、一般的な開缶用タブには、開缶用タブの全体の強度が得られやすくすることや軽量化を目的として、開缶用タブが加工される金属板の端面を裏面側に折り込むことによりカール状に形成し、開缶用タブの外形やフィンガーホールを形成している。このため、角部を含めて開缶用タブの後端部全体を薄く加工しようとした際には、その加工の際にカール状の部分（カール部）が押しつぶされることで疲労が蓄積し、開缶用タブの表面に割れが生じるおそれがある。
【０００６】
また、開缶用タブの表面に生じる割れを防止するために、開缶用タブの外形を取り囲むようにして設けられる外周側のカール部だけを薄く加工することにして、フィンガーホールを取り囲むカール部はそのままの状態とすることも考えらえる。しかし、この場合には、開缶用タブの後端部に指を引っ掛ける際に、指が外周側からフィンガーホール側に向けて挿入されることで、その裏面側に配置された端面のエッジ部分が指に接触することがあり、その結果、開封者に痛みや違和感を感じさせることがあった。
【０００７】
この点、特許文献２に開示される缶蓋のように、フィンガーホールを有しないタイプの開缶用タブにおいては、フィンガーホールが形成されていないことから、そのフィンガーホール部分に切断した端面のエッジ部が露出することはない。しかし、特許文献２に開示されている開缶用タブのように、外周側の周縁部の端面のみを裏面側に巻き込んだ形状では、フィンガーホールを形成した場合と比べて剛性が低くなり、全体の折れ曲がり強度が低下して、開缶不良が生じるおそれがある。
【０００８】
本発明は、このような事情に鑑みてなされたものであり、開缶用タブの指掛かり性を向上でき、かつ必要な強度を維持できる開缶性に優れた開缶用タブ及び缶蓋並びに缶を提供することを目的とする。
【課題を解決するための手段】
【０００９】
本発明の開缶用タブは、外形形状を形成するタブ本体の中央付近に設けられ缶蓋本体のリベットに固着される固着部と、前記タブ本体の先端部に設けられて前記缶蓋本体の開口片を押し下げて開口させるための押下部と、該押下部に対して前記タブ本体の前記固着部を挟んだ反対側に設けられて前記押下部を押し下げるために前記缶蓋本体から引上げられる引上部と、前記引上部と前記固着部との間に設けられて下面側に向けて凸となるように凹状に形成されたタブパネルとを備え、前記引上部は、少なくとも前記タブ本体の後縁部から該後縁部と側縁部との間の角部にかけて設けられるとともに、前記タブ本体の前縁部よりも厚みが薄く設けられていることを特徴とする。
【００１０】
この開缶用タブには、フィンガーホールを設けることなく、タブパネルが設けられている。そして、開缶用タブは、タブパネルを囲むタブ本体（開缶用タブ）の後縁部から角部にかけて、前縁部よりも厚みが薄く設けられた引上部を有している。このように、引上部を薄肉に設けることで、指や爪を引っ掛けることが容易になる。また、後縁部の中央部だけでなく、その中央部から角部までを薄肉に形成した引上部を設けているので、開封者は、後縁部の中央部だけでなく、側縁部と後縁部との間の角部に指を掛けることが容易になる。また、開缶用タブの引上部に指を引っ掛ける際に、指が引上部側からタブパネル側に向けて挿入された場合でも、この開缶用タブには、フィンガーホールを設けることなくタブパネルを設けていることから、金属材を切断した端面のエッジ部が露出することがない。したがって、指にエッジ部が接触することを回避でき、開封者に違和感を感じさせることがない。また、引上部側から挿入された指は、引上部からタブパネルの裏面に向けて円滑に案内されるので、開缶用タブの下面側に指を容易に挿入して引き上げることができ、開缶性を向上できる。さらに、この開缶用タブでは、フィンガーホールの代わりにタブ本体の一部を下面側に向けて凸となるように形成したタブパネルを設けることで剛性を確保できるので、フィンガーホールを無くしたことにより全体の折れ曲がり強度が低下することを回避できる。
【００１１】
本発明の開缶用タブにおいて、前記引上部は、前記タブパネルを囲む前記タブ本体の後縁部から側縁部にかけて設けられているとよい。
この場合、タブパネルを囲むより広い範囲に薄肉の引上部を設けることで、開封者は、後縁部から側縁部にかけて指を掛けることができ、開缶用タブを容易に引き上げることができる。
【００１２】
本発明の開缶用タブにおいて、前記引上部は、下面側を上方に凹ませた形状としたり、上面側を下方に凹ませた形状としたり、下面側と上面側の双方を互いに凹ませた形状とすることにより、薄肉に設けることができる。
なお、下面側を凹ませた形状とした場合には、缶蓋本体と引上部との間隔を広げることができるので、開缶用タブの指掛かり性をより向上できる。
【００１３】
本発明の開缶用タブにおいて、前記引上部に、連結片が切り離された後の切断面が設けられているとよい。
開缶用タブはシート状の金属材を順送しながら、金属材のキャリア部との間を連結片（キャリーポイント）により接続した状態で成形が行われる。そして、最後に連結片を切断してキャリア部から切り離すことにより、開缶用タブが成形される。ところが、開缶用タブの成形は、連結片により金属材と接続された状態で行われることから、連結片の周辺部分のカール成形が浅くなり、その周辺部分において金属材を切断した断面のエッジ部が、タブ本体の周縁部側や下面側に露出しやすい。このため、連結片から開缶用タブを切り離した後においても、連結片が接続されていた周辺部分に指が触れることで、開封者は指の引っ掛かりを感じやすい。この点、連結片（連結片の切断面）を引上部の形成範囲内に設けておくことで、引上部を薄肉に加工する際に、タブ本体の後縁部や角部等とともに連結片の周辺部分のエッジ部も潰すことができる。したがって、連結片に起因するエッジ部が指に接触することを回避でき、開封者に違和感を感じさせることを防止できる。
【００１４】
本発明の缶蓋は、缶蓋本体と前記開缶用タブとを備えることを特徴とする。
【００１５】
本発明の缶は、缶胴本体に前記缶蓋が巻締められていることを特徴とする。
【発明の効果】
【００１６】
本発明によれば、タブパネルを囲む広い範囲を薄肉に形成して引上部を設けることで、開缶用タブの指掛かり性を向上でき、良好な開缶性を発揮できるとともに、開缶用タブ自体の剛性を確保して折れ曲がり強度が低下することを回避できる。
【図面の簡単な説明】
【００１７】
【図１】本発明の第１実施形態に係る開缶用タブの平面図である。
【図２】図１に示す開缶用タブの背面図である。
【図３】図１に示す開缶用タブの右側面図である。
【図４】図１に示す開缶用タブの下側面図である。
【図５】図１に示すＡ‐Ａ線に沿う矢視断面における開缶用タブの断面図である。
【図６】本発明の実施形態に係る缶蓋の平面図である。
【図７】図６に示すＢ‐Ｂ線に沿う矢視断面における缶蓋の断面図である。
【図８】図６に示すＣ‐Ｃ線に沿う矢視断面における缶蓋の断面図である。
【図９】本発明の実施形態に係る容器の断面図である。
【図１０】本発明の第２実施形態に係る開缶用タブの平面図である。
【図１１】図１０に示す開缶用タブの右側面図である。
【図１２】図１０に示す開缶用タブの下側面図である。
【図１３】本発明の第３実施形態に係る開缶用タブの右側面図である。
【図１４】図１３に示す開缶用タブの下側面図である。
【図１５】実施例１の開缶用タブの平面図である。
【図１６】実施例２の開缶用タブの平面図である。
【図１７】実施例３の開缶用タブの平面図である。
【図１８】比較例１の開缶用タブの平面図である。
【図１９】比較例２の開缶用タブの平面図である。
【発明を実施するための形態】
【００１８】
以下、本発明に係る開缶用タブ及び缶蓋並びに缶、開缶用タブの製造方法の実施形態を、図面を参照しながら説明する。
本実施形態の缶蓋１００は、例えば飲料用等の缶に用いられる、いわゆるステイオンタブ方式の缶蓋であり、図６〜図８に示すように、缶蓋本体２と、この缶蓋本体２に取り付けられた開缶用タブ１Ａとにより構成される。また、このように構成される缶蓋１００は、図９に示すように、内容物を充填した缶胴本体３の開口端部に巻締められることにより、缶胴本体３の内部を密閉した缶１０１が製造される。なお、図示は省略するが、缶胴本体３は有底筒状に形成されている。これらの缶胴本体３、缶蓋本体２及び開缶用タブ１Ａは、それぞれアルミニウム合金により形成されている。
【００１９】
缶蓋本体２は、図６〜図８に示すように、略円板状のパネル部２１と、このパネル部２１の外周部に沿って下方に凸となるように設けられた環状のカウンターシンク部２２とを備えている。そして、パネル部２１の一部には、凹状に形成されたパネルデボス２３が設けられており、このパネルデボス２３の底面に、開口片２７を画成するスコア２４と、開口片２７とはリベット２５を介して反対側に配置された指掛け凹部２６とが設けられている。
スコア２４は、開缶用タブ１Ａによる押圧によって破断されて開口片２７が缶内部に押し込まれることで、飲み口を開口する構成とされる。なお、開口片２７上には、スコア２４に沿うようにして上方に突出したインナービード２８が形成されており、開口片２７が補強されている。
【００２０】
リベット２５は、パネル部２１の上面をリング状に圧印するコイニング加工を施して、パネル部２１の中心部を上方に張り出させることにより形成されている。
また、指掛け凹部２６は、開缶用タブ１Ａの後端部に沿うようにして、その下方近傍に、パネルデボス２３の底面の一部をさらに凹状にして形成されている。これにより、開封者は、指掛け凹部２６から指を開缶用タブ１Ａの後端部（引上部１７）の下側に入れることで、後端部に指をかけやすく、後端部を容易に引き上げることができる。
また、これらリベット２５と指掛け凹部２６との間には、ディンプルと称される凸部２９が形成されている。凸部２９は、パネルデボス２３の上面に突出し、開缶用タブ１Ａの幅方向に間隔をおいて２つ形成されている。この凸部２９に、開缶用タブ１Ａの外側縁部が引っ掛かることで、開缶用タブ１Ａがリベット２５回りへ回転移動することを防止できる。そして、開缶用タブ１Ａが、リベット２５に取り付けられている。
【００２１】
開缶用タブ１Ａは、図１〜図５に示すように、外形形状を形成するタブ本体１１の周縁部１９が下面側に折り曲げられてカール成形が施されており、全体の剛性が高められている。そして、このタブ本体１１の中央付近には、缶蓋本体２のリベット２５と固着されるリベット孔１５を有する固着部１２が設けられている。また、固着部１２は、Ｕ字状のスロット１３により形成されている。そして、開缶用タブ１Ａは、この固着部１２に形成されたリベット孔１５に缶蓋本体２のリベット２５を挿入し、固着部１２の下面をパネルデボス２３の底面に当接させた状態でリベット２５をかしめることにより、缶蓋本体２に取り付けられる。
【００２２】
また、開缶用タブ１Ａは、タブ本体１１の先端部に設けられて缶蓋本体２の開口片２７を押し下げて開口させるための押下部１６と、この押下部１６に対してタブ本体１１の固着部１２を挟んだ反対側に設けられて押下部１６を押し下げるために缶蓋本体２から引き上げられる引上部１７と、タブ本体１１の引上部１７と固着部１２との間に設けられて下面側に向けて凸となるように凹状に形成されたタブパネル１４とを備えている。
【００２３】
押下部１６及び引上部１７を含むタブ本体１１の周縁部１９は、下面側に折り返されることにより形成されている。このうち、引上部１７は、少なくともタブ本体１１の後縁部１１ｂからこの後縁部１１ｂと側縁部１１ｄとの間の角部１１ｃに掛けて設けられており、タブ本体１１の押下部１６を含む前縁部１１ａの厚みｔ３よりもの厚みｔ１が薄く設けられている。また、開缶用タブ１Ａでは、引上部１７は、図１及び図２にハッチングで示したように、タブパネル１４を囲むタブ本体１１の後縁部１１ｂから側縁部１１ｄにかけて設けられており、タブ本体１１の周縁部が折り返された後にさらに下面側が押し潰されることにより、下面側を上方に凹ませた形状に形成されている。また、開缶用タブ１Ａは、シート状の金属材を順送しながら、その金属材のキャリア部との間を連結片１８（図２参照）により接続した状態で成形が行われるが、この連結片１８が切り離された後の切断面が、引上部１７に設けられている。
【００２４】
引上部１７を除く前縁部１１ａの厚みｔ３は、１．３ｍｍ以上１．６ｍｍ以下に形成され、引上部１７の厚みｔ１は、０．７ｍｍ以上１．２ｍｍ以下に形成される。また、タブパネル１４の凹部深さＭは、この開缶用タブ１Ａを形成している素材の板厚（０．２６ｍｍ以上０．３５ｍｍ以下）よりも大きく、０．５０ｍｍ以上１．０ｍｍ以下に形成されており、タブパネル１４の厚みｔ２は、０．８０ｍｍ以上１．１５ｍｍ以下に設けられている。
【００２５】
このようにして構成される開缶用タブ１Ａにおいては、前述したように、フィンガーホールの代わりにタブパネル１４が設けられ、タブパネル１４を囲むタブ本体１１（開缶用タブ１Ａ）の後縁部１１ｂから側縁部１１ｄにかけて、前縁部１１ａよりも厚みが薄く設けられた引上部１７が設けられている。このように、引上部１７を薄肉に設けることで、指や爪を引っ掛けることが容易になる。また、タブパネル１４を囲むより広い範囲に薄肉の引上部１７が設けられているので、開封者は、後縁部１１ｂの中央部だけでなく、側縁部１１ｄと後縁部１１ｂとの間の角部１１ｃに指を掛けることが容易になり、開缶用タブ１Ａを容易に引き上げることができる。
【００２６】
また、第１実施形態の開缶用タブ１Ａのように、引上部１７を、下面側を上方に凹ませた形状とした場合には、缶蓋本体２と引上部１７との間隔を広げることができるので、開缶用タブ１Ａの指掛かり性をより向上できる。なお、引上部１７は、下面側を上方に凹ませた形状に限られず、図１０〜図１２に示す第２実施形態の開缶用タブ１Ｂのように、タブ本体１１の上面側を下方に凹ませた形状としたり、図１３及び図１４に示す第３実施形態の開缶用タブ１Ｃのように、引上部１７をタブ本体１１の下面側と上面側の双方を互いに凹ませた形状とすることにより、薄肉に設けることができる。
【００２７】
さらに、本実施形態のように、金属材のキャリア部との間を接続する連結片１８（連結片１８の切断面）を、引上部１７の形成範囲内（本実施形態では側縁部１１ｄ）に設けておくことで、引上部１７を薄肉に加工する際に、すなわちタブ本体１１の後縁部１１ｂや角部１１ｃ、側縁部１１ｄを押し潰す際に、連結片１８の周辺部分において露出する断面のエッジ部も潰すことができる。これにより、開缶用タブ１Ａの引上部１７に指を掛けた際に、連結片１８に起因するエッジ部が指に接触することを回避でき、開封者に違和感を感じさせることを防止できる。
【００２８】
また、開缶用タブ１Ａの引上部１７に指を引っ掛ける際に、指が引上部１７側からタブパネル１４側に向けて挿入された場合でも、この開缶用タブ１Ａには、フィンガーホールを設けることなくタブパネル１４を設けていることから、金属材を切断した端面のエッジ部が露出することがない。したがって、指にエッジ部が接触することを回避でき、開封者に違和感を感じさせることがない。また、引上部１７側から挿入された指は、引上部１７からタブパネル１４の裏面１４ｃに向けて円滑に案内されるので、開缶用タブ１Ａの下面側に指を容易に挿入して引き上げることができ、開缶性を向上できる。
さらに、この開缶用タブ１Ａでは、フィンガーホールの代わりにタブ本体１１の一部を下面側に向けて凸となるように形成したタブパネル１４により剛性を確保できるので、フィンガーホールを無くしたことにより全体の折れ曲がり強度が低下することを回避できる。
【００２９】
なお、図示は省略するが、このように構成される開缶用タブ１Ａは、シート状の金属材にリベット孔１５等の開缶用タブ１Ａに形成される孔形状を形成した後、金属材のキャリア部との間の連結片１８（図２参照）を除いて開缶用タブ１Ａの外形を切断したブランクを打ち抜き、そのブランクを連結片１８で連結された状態で、凹凸形状等の成形を施し、且つ、タブ本体１１の周縁部１９をカール成形する。そして、その後に後端部側の周縁部１９を押しつぶして、引上部１７を形成する。最後に、連結片１８を切断して、金属材のキャリア部から切り離すことにより、開缶用タブ１Ａが成形される。
【実施例】
【００３０】
図１５〜図１９にハッチングで示したように、周縁部の下面側を上方に凹ませた形状の引上部１７を形成し、それぞれ引上部１７の形成範囲を変更した開缶用タブを作製し、これらの開缶用タブを取り付けた缶蓋を用いて指掛け官能試験を行った。なお、連結片１８は、タブ本体１１の側縁部１１ｄに設けて、各開缶用タブの成形を行った。
実施例１の開缶用タブは、図１５に示すように、タブパネル１４を設けるとともに、タブ本体１１の後縁部１１ｂから角部１１ｃの中ほどにかけて引上部１７を形成した。実施例２の開缶用タブは、図１６に示すように、タブパネル１４を設けるとともに、タブパネル１４を囲むタブ本体１１の後縁部１１ｂから、角部１１ｃと側縁部１１ｄとの接続部にかけて形成した。実施例３の開缶用タブは、図１７に示すように、タブパネル１４を設けるとともに、タブパネル１４を囲うタブ本体１１の後縁部１１ｂから側縁部１１ｄにかけて形成した。
【００３１】
また、比較例１の開缶用タブは、図１８に示すように、タブパネルを設けることなく、フィンガーホール４１を形成するとともに、実施例１と同一の範囲に引上部１７を設けた。なお、比較例１では、フィンガーホール４１の周縁部を潰さずに、タブ本体１１の後縁部１１ｂから角部１１ｃの中ほどにかけて引上部１７を形成した。比較例２の開缶用タブは、図１９に示すように、タブパネルを設けることなく、フィンガーホール４１を形成するとともに、後縁部１１ｂの中央部のみを潰して引上部１７を設けた。なお、比較例２では、フィンガーホール４１の周縁部も引上部１７と同じ位置まで潰して形成した。
【００３２】
指掛け官能試験は、２０人のパネラーに、各開缶用タブを取り付けた缶蓋を開封した際の開缶用タブの指掛かり性と、開封した際に感じる違和感の有無に対して点数をつけてもらい、２０人の点数の合計点により比較を行った。指掛かり性の評価は、缶蓋ごとに指掛かり性が良いと感じた場合に１点を付与し、指掛かり性が悪いと感じた場合を０点とした。また、違和感の評価は、缶蓋ごとに違和感を感じなかった場合に１点を付与し、違和感を感じた場合を０点とした。
これらの結果を表１に示す。
【００３３】
【表１】
2017124857.tif 000003
【００３４】
表１の結果からわかるように、タブパネルを設けるとともに、少なくともタブ本体の後縁部から角部の中ほどにかけて引上部を形成することで、缶蓋の開封時の指掛かり性を向上できるとともに、違和感を低減できた。
【００３５】
なお、本発明は上記実施形態に限定されるものではなく、本発明の趣旨を逸脱しない範囲において種々の変更を加えることが可能である。
【符号の説明】
【００３６】
１Ａ〜１Ｃ  開缶用タブ
２  缶蓋本体
３  缶胴本体
１１  タブ本体
１２  固着部
１３  スロット
１４  タブパネル
１４ｃ  タブパネルの裏面
１５  リベット孔
１６  押下部
１７  引上部
１８  連結片
１９  周縁部
２１  パネル部
２２  カウンターシンク部
２３  パネルデボス
２４  スコア
２５  リベット
２６  指掛け凹部
２７  開口片
２８  インナービード
２９  凸部
４１  フィンガーホール
１００  缶蓋
１０１  缶
【図１】
2017124857.tif 000004
【図２】
2017124857.tif 000005
【図３】
2017124857.tif 000006
【図４】
2017124857.tif 000007
【図５】
2017124857.tif 000008
【図６】
2017124857.tif 000009
【図７】
2017124857.tif 000010
【図８】
2017124857.tif 000011
【図９】
2017124857.tif 000012
【図１０】
2017124857.tif 000013
【図１１】
2017124857.tif 000014
【図１２】
2017124857.tif 000015
【図１３】
2017124857.tif 000016
【図１４】
2017124857.tif 000017
【図１５】
2017124857.tif 000018
【図１６】
2017124857.tif 000019
【図１７】
2017124857.tif 000020
【図１８】
2017124857.tif 000021
【図１９】
2017124857.tif 000022